(57)【要約】【課題】主に、建物の建設後に横架材を後付けできるようにする。【解決手段】隣接配置された縦材５の間に架設される建物１の横架材６に関する。  横に延びる横行部２１と、横行部２１の両端部に設けられた固定部２２とを有する。  固定部２２は、縦材５の内側面５ａに対して当接される内側当接面２３になっている。内側当接面２３は、横行部２１に対して突出する突出部２４を有している。突出部２４には縦材５の内側面５ａに対する固定用の孔部２５が形成されている。  内側当接面２３は、縦材５の内側面５ａの幅寸法Ｗ１と同じかそれよりも小さい幅寸法Ｗ２を有している。  横行部２１は、少なくとも縦の面２１ａを有しても良い。  内側当接面２３は、横行部２１の端部を縦材５の内側面５ａに当接するように屈曲して形成されても良い。【選択図】図２
2020172795.tif 000002
【特許請求の範囲】
【請求項１】
隣接配置された縦材の間に架設される建物の横架材であって、
横に延びる横行部と、該横行部の両端部に設けられた固定部とを有し、
該固定部は、前記縦材の内側面に対して当接される内側当接面になっていると共に、該内側当接面は、前記横行部に対して突出する突出部を有し、該突出部には前記縦材の内側面に対する固定用の孔部が形成されており、
前記内側当接面は、前記縦材の内側面の幅寸法と同じかそれよりも小さい幅寸法を有していることを特徴とする建物の横架材。
【請求項２】
請求項１に記載の建物の横架材であって、
前記横行部は、少なくとも縦の面を有しており、
前記内側当接面は、前記横行部の端部を前記縦材の内側面に当接するように屈曲して形成されていることを特徴とする建物の横架材。
【請求項３】
請求項１に記載の建物の横架材であって、
前記突出部は、前記内側当接面の上側と下側の両方、または、一方に設けられていることを特徴とする建物の横架材。
【発明の詳細な説明】
【技術分野】
【０００１】
この発明は、建物の横架材に関するものである。
【背景技術】
【０００２】
建物の壁の内部には、柱や間柱が設置されている。そして、柱と間柱との間や、間柱と間柱との間などに、「まぐさ」などと呼ばれる横架材を設置することも行われている（例えば、特許文献１、２参照）。
【先行技術文献】
【特許文献】
【０００３】
【特許文献１】特開２００５−４２３１７号公報
【特許文献２】特開２００５−８９９８２号公報
【発明の概要】
【発明が解決しようとする課題】
【０００４】
しかしながら、上記各特許文献の横架材は、建物の建設時に取付けるものとなっており、建物の建設後に後付けできるような構造を備えてはいなかった。
【０００５】
そこで、本発明は、主に、上記した問題点を解決することを目的としている。
【課題を解決するための手段】
【０００６】
上記課題を解決するために、本発明は、
隣接配置された縦材の間に架設される建物の横架材であって、
横に延びる横行部と、該横行部の両端部に設けられた固定部とを有し、
該固定部は、前記縦材の内側面に対して当接される内側当接面になっていると共に、該内側当接面は、前記横行部に対して突出する突出部を有し、該突出部には前記縦材の内側面に対する固定用の孔部が形成されており、
前記内側当接面は、前記縦材の内側面の幅寸法と同じかそれよりも小さい幅寸法を有していることを特徴とする。
【発明の効果】
【０００７】
本発明によれば、上記構成によって、建物の建設後に横架材を後付けすることなどが可能になる。
【図面の簡単な説明】
【０００８】
【図１】本実施の形態にかかる横架材を取付ける建物（建物ユニット）の斜視図である。
【図２】建物に対する横架材の取付状態を示す図である。
【図３】実施例１にかかる横架材を示す図である。このうち、（ａ）は斜視図、（ｂ）は正面図、（ｃ）は側面図である。
【図４】実施例２にかかる横架材を示す図である。このうち、（ａ）は斜視図、（ｂ）は正面図、（ｃ）は側面図である。
【図５】横架材の横行部にテープ状の断熱材を貼付けた状態を示す斜視図である。
【図６】横架材が取付けられた壁部分にアンテナ用の取付金具を取付けた状態を示す図である。
【図７】（ａ）は横架材が取付けられた壁部分にＰＶインバータ用の取付金具を取付けた状態を示す図、（ｂ）は（ａ）の取付金具にＰＶインバータを取付けた状態を示す図である。
【図８】比較例にかかる建物の横架材を示す図である。このうち（ａ）は正面図、（ｂ）は側面図である。
【発明を実施するための形態】
【０００９】
以下、本実施の形態を、図面を用いて詳細に説明する。
図１〜図８は、この実施の形態を説明するためのものである。
【実施例１】
【００１０】
＜構成＞以下、構成について説明する。
【００１１】
図１に示すように、建物１の壁２（外壁）の内部には、柱３や間柱４などの縦材５が設置される。そして、柱３と間柱４との間や、間柱４と間柱４との間などの隣接する縦材５の間に「まぐさ」などと呼ばれる横架材６を設置（架設）する。
【００１２】
ここで、建物１は、どのような構造のものとしても良いが、例えば、ユニット建物などとすることができる。ユニット建物は、予め工場で製造した箱型の建物ユニット１１を建築現場へ搬送して、複数の建物ユニット１１を建築現場で組み立てることにより、短期間のうちに建物１を構築し得るようにしたものである。
【００１３】
建物ユニット１１には、金属製のもの（鋼製ユニット）と木製のもの（木質系ユニット）とがあるが、金属製の建物ユニット１１は、４本の柱３の上端間を４本の天井梁１２で矩形状に連結し、４本の柱３の下端間を４本の床梁１３で矩形状に連結してなるボックスラーメン構造のユニットフレームを有している。ユニットフレームを構成する柱３の間には、間柱４が適宜設置される。そして、柱３と間柱４との間や、間柱４と間柱４との間に外壁パネル１５を取付けることで、ユニットフレームの外面に壁２（外壁）が形成される。間柱４や外壁パネル１５などは、工場段階でユニットフレームに取付けられる。柱３と間柱４、および、間柱４と間柱４とは、外壁パネル１５を取付けるのに適した間隔を有して設置される。
【００１４】
なお、「まぐさ」などの横架材６は、通常、ドアや窓などの開口部分に対して設置されるが、開口部分以外にも、必要に応じて取付けるようにしても良い。
【００１５】
そして、この実施例の建物１の横架材６は、以下のような構成を備えている。
【００１６】
（１）図２（図３、図４）に示すように、横架材６は、横に延びる横行部２１と、横行部２１の両端部に設けられた固定部２２とを有している。
固定部２２は、縦材５の内側面５ａに対して当接される内側当接面２３になっている。
内側当接面２３は、横行部２１に対して突出する突出部２４を有している。
突出部２４には縦材５の内側面５ａに対する固定用の孔部２５が形成されている。
【００１７】
ここで、横架材６は、建物１に対して後付け可能なものとされる。横とは、壁２に沿ったほぼ水平な方向のことである。横行部２１は、横に長く延びて、横架材６の主要部を構成する部分である。横行部２１は、隣接する縦材５間の間隔とほぼ同じ長さに形成される。横行部２１の外面面には、図５に示すように、断熱材２６を取付けるようにしても良い。断熱材２６は、テープ状の断熱材２６などとするのが好ましい。
【００１８】
両端部は、横行部２１の長手方向の両側に位置する部分のことである。固定部２２は、横架材６の、縦材５に対する固定部分のことである。内側面５ａは、隣接する縦材５の対向面のことである。内側当接面２３は、縦材５の内側面５ａに対して面接触される面のことである。内側当接面２３は、ほぼ全面が縦材５の内側面５ａに対して面接触されるのが好ましい。
【００１９】
突出部２４は、横架材６を正面から見た時に、横行部２１から飛び出している部分のことである。突出部２４は、横行部２１に形成した延長部分とするのが好ましい。突出部２４は、横行部２１と一体に形成されて、縦材５の内側面５ａに対し、全面が面接触される内側当接面２３とするのが好ましい。突出部２４は、後述するように、固定部２２の少なくとも上端部または下端部に、上側または下側へ延びるように形成するのが好ましい。
【００２０】
孔部２５は、ビスなどの固定具２９を通すための孔である。孔部２５は、突出部２４に予め形成される。
【００２１】
（２）横行部２１は、少なくとも縦の面２１ａを有するようにしても良い。
【００２２】
ここで、縦の面２１ａは、幅方向を上下に向けた面（縦面部）のことである。横行部２１は、縦の面２１ａの他に横の面（横面部）などを有しても良いが、この実施例では、縦の面２１ａのみとしている。
【００２３】
横行部２１は、縦の面２１ａの上縁部や下縁部などに、例えば、補強用の縁折部などを設けることができる。また、横行部２１は、縦の面２１ａに、例えば、横方向へ（連続してまたは不連続に）延びると共に、建物１の内方へ向けて突出する補強用のビードなどを設けることができる。この実施例では、縦の面２１ａは、縁折部やビードなどのないシンプルな平坦面とされている。
【００２４】
（３）内側当接面２３は、横行部２１の端部を縦材５の内側面５ａに当接するように屈曲して形成されても良い。
【００２５】
ここで、内側当接面２３は、横行部２１の端部に屈曲部３１を介して一体に形成されている。内側当接面２３は、横行部２１の両端部で同じ側に屈曲されている。屈曲部３１の屈曲角度はほぼ９０°とされており、横行部２１の両端部でほぼ平行な状態で対向している。横架材６は、一枚の金属板などを曲げて形成することができる。
【００２６】
（４）内側当接面２３は、縦材５の内側面５ａの幅寸法Ｗ１と同じかそれよりも小さい幅寸法Ｗ２を有しても良い。
【００２７】
ここで、この実施例では、内側当接面２３は、縦材５の内側面５ａの幅寸法Ｗ１よりも小さい幅寸法Ｗ２とされている。内側当接面２３は、上下方向に対して均一の幅寸法Ｗ２とするのが好ましい。但し、内側当接面２３の上下方向の幅寸法Ｗ２は、均一に限るものではない。
【００２８】
（５）図３の実施例に示すように、突出部２４は、内側当接面２３の上側と下側の両方に設けられるようにしても良い。
【００２９】
ここで、突出部２４は、上下に同じ長さで設けられると共に、横行部２１の両側についても同じ長さに設けられるのが好ましい。但し、上下の突出部２４は、同じ長さに限るものではない。また、突出部２４は、横行部２１の両側で異なるものにしても良い。なお、上下は、縦材５に横架材６を設置した状態を基準とする。
【００３０】
（６）図４の実施例に示すように、突出部２４は、内側当接面２３の上側と下側の一方に設けられるようにしても良い。
【００３１】
ここで、突出部２４は、横行部２１の両端部で、互いに同じ側に、同じ長さとなるように設けるのが好ましい。但し、突出部２４は、同じ長さに限るものではない。なお、内側当接面２３には、突出部２４のない側にも、孔部２５を同様に設けるようにする。なお、上下は、縦材５に横架材６を設置した状態を基準とする。
【００３２】
（７）孔部２５は、複数設けられても良い。
【００３３】
ここで、孔部２５は、単数とすることもできるが、複数とするのが好ましい。複数は、２個以上とすることができる。この実施例では、孔部２５は、固定部２２の幅中央部に、上下方向に間隔を有して３個ずつ並設するようにしている。
【００３４】
３個の孔部２５は、それぞれ横行部２１の両側で互いに同じ位置に設けられている。複数の孔部２５は、位置の高いものまたは位置の低いものを優先的に使用するようにするのが好ましい。
【００３５】
（８）図６、図７に示すように、横行部２１は、住宅用設備機器４１を取付ける位置に設置されるようにしても良い。
【００３６】
ここで、住宅用設備機器４１は、どのようなものであっても良いが、例えば、アンテナ４２（屋外アンテナ、図６）や、太陽光発装置で発電した電力を直流から交流に変換するためのＰＶインバータ４３（図７）や、その他のものなどとすることができる。これらの住宅用設備機器４１は、直接または取付金具４４，４５を介して壁２に取付けられる。なお、住宅用設備機器４１は、上記に限るものではなく、例えば、カーポートや風除室（ふうじょしつ）やその他のものなどとすることもできる。
【００３７】
＜作用＞以下、この実施例の作用について説明する。
【００３８】
例えば、建物１の構築後に、壁２に住宅用設備機器４１を新たに取付けたり、古い住宅用設備機器４１を新たなものに交換したりする場合などに、壁２の内部に横架材６を取付けて壁２を補強する。住宅用設備機器４１は、例えば、アンテナ４２や、太陽光発装置で発電した電力を直流から交流に変換するためのＰＶインバータ４３や、その他のものなどとすることができる。
【００３９】
これらの住宅用設備機器４１の取付けは、まず、壁２（外壁）における、住宅用設備機器４１の取付ける位置の外壁パネル１５を（部分的に）取外す。
【００４０】
また、横架材６には、図５に示すように、横行部２１の外面全面に対し、予めテープ状の断熱材２６などを貼付けておく。テープ状の断熱材２６は、隙間なく、また、互いに重ならないように貼付けるようにする。
【００４１】
次に、住宅用設備機器４１の取付位置を確認し、確認した取付位置に基づいて、隣接する縦材５の内側面５ａ間に対する横架材６の取付位置を測り、その位置に横架材６を直接当てて横架材６の取付位置の正確な位置出しを行う。この際、縦材５の既設孔と固定部２２の孔部２５との間に干渉がないことを確認する。また、テープ状の断熱材２６を貼付けた横行部２１の外面が縦材５の外側面と面一になるようにする。
【００４２】
そして、位置出しした横架材６の両端部の固定部２２を、隣接する縦材５の内側面５ａにそれぞれビスなどの固定具２９で固定する。この際、固定部２２に予め形成されている孔部２５を使って縦材５に下穴を形成する。そして、横架材６の両端部で固定部２２の上下の位置を２本の固定具２９（ビス）で固定する。
【００４３】
孔部２５は、最も高い位置のものと最も低い位置のものとを優先的に使用するが、縦材５の既設孔と最も高い孔部２５や最も低い孔部２５とが干渉する場合には、その次の高さのものなどを使用する。固定具２９の取付けの際には、横架材６がズレないように注意すると共に、固定具２９が固定部２２や縦材５の内側面５ａと面直に取付けられるようにして、固定具２９の頭部と固定部２２との間に隙間ができないように注意する。固定具２９の頭部と固定部２２との間には、必要に応じてシール材を施工する。
【００４４】
その後、横架材６の固定位置や固定状態を確認し（例えば、横行部２１が縦材５の外側面と面一になっていることや、横架材６にガタ付きがないことなど）、良ければ、外した部分に外壁パネル１５を取付ける。これにより、横架材６が後付けされ、横架材６の部分で壁２が補強される。この際、外壁パネル１５の取付け部分の防水性をシール材によって確保する。
【００４５】
そして、壁２（外壁パネル１５）の横架材６を設置した位置に、直接または取付金具４４，４５を介して住宅用設備機器４１を取付ける。これにより、住宅用設備機器４１が壁２を通して横架材６に固定され、壁２は、住宅用設備機器４１の重みに耐えられるようになる。更に、住宅用設備機器４１の取付後に、壁２に対する住宅用設備機器４１の取付部分に対し、シール材などを用いて防水性を確保する。
【００４６】
最後に、必要な場合には、壁２の住宅用設備機器４１を取付けた部分の外観を整える。
【００４７】
以上により、住宅用設備機器４１の取付けや、これに伴う、横架材６の後付けが完了する。
【００４８】
＜効果＞この実施例によれば、以下のような効果を得ることができる。
【００４９】
（効果 １） 建物１の横架材６は、横に延びる横行部２１と、横行部２１の両端部に設けられた固定部２２とを有しても良い。これにより、隣接する縦材５の間に横行部２１を架設することができる。そして、固定部２２によって、隣接する縦材５の間に架設した横行部２１の端部を縦材５に直接固定することができる。よって、縦材５間に横架材６を（取付部材などを用いずに）直接固定することができる。
【００５０】
固定部２２は、縦材５の内側面５ａに当接配置される内側当接面２３になっていても良い。これにより、固定部２２の内側当接面２３を縦材５の内側面５ａに当接した状態で縦材５に固定することができる。そのため、縦材５の内外面に影響を与えずに、横架材６を隣接する縦材５の内側面５ａ間に設置することができる。よって、横架材６を、建物１の建設後に後付けするのに適した構造にすることができる。そして、建物１の建設後に横架材６が後付けできれば、壁２（外壁）の少なくとも一部を外すだけで、簡単に壁２の任意の箇所の補強が行えるので、建物１の基本性能を随時上げることが可能になる。しかも、この実施例の横架材６を用いれば、住人が建物１に住みながらでも壁２の補強ができるので、この横架材６は、有用性が高く、また、利便性の良いものとなる。なお、上記した横架材６は、建物ユニット１１の製造時や、建物１の建設時に取付けることも構造的には可能である。
【００５１】
内側当接面２３は、横行部２１に対して突出する突出部２４を有しても良い。これにより、隣接する縦材５の間に横架材６を配置した時に、突出部２４が横行部２１から突出した状態となる。そのため、横行部２１に妨げられることなく、突出部２４を縦材５（の内側面５ａ）に固定することができる。よって、横架材６は、取付作業性の良いものとなり、例えば、建物１の建設後に横架材６を後付けするのが容易になる。なお、後述するように、突出部２４は、内側当接面２３から少なくとも上側または下側の少なくとも一方へ突出させるのが好ましい。
【００５２】
また、（横行部２１に対して突出された）突出部２４を縦材５の内側面５ａに固定することで、ビスなどの固定具２９を縦材５の内側面５ａに対してほぼ面直に取付けることが容易にできる。これにより、横架材６を精度良く強固に縦材５の内側面５ａに固定することができ、固定部２２の防水性を向上することができる。
【００５３】
これに対し、図８の比較例に示すように、固定部２２に突出部２４を全く備えていない横架材６０の場合には、横行部２１が作業の妨げになると共に、孔部２５が横行部２１によって直接目視できなくなるため、固定部２２を縦材５の内側面５ａに固定するのが難い作業になる。よって、建物１の建設後に横架材６を後付けするのに手間がかかる。
【００５４】
また、この実施例の横架材６では、突出部２４には縦材５の内側面５ａに対する固定用の孔部２５が形成されても良い。これにより、予め設けられた孔部２５を用いることができるので、横架材６の位置出しがし易くなる。また、突出部２４に孔部２５が形成されることで、突出部２４を押さえ、孔部２５を目視しながらの固定具２９の取付けが可能になり、突出部２４を縦材５の内側面５ａに固定するのが容易になる。
【００５５】
（効果 ２） 建物１の横架材６は、横行部２１が少なくとも縦の面２１ａを有していても良い。これにより、縦の面２１ａを、建物１の壁２に沿って配置することができ、縦の面２１ａで、壁２を内側から部分的に補強したり、壁２の内部に断熱材２６を部分的に設置したりすることができる。また、後述するように、縦の面２１ａを、住宅用設備機器４１などを取付ける際の裏当材などとして使うことができる。なお、横行部２１を縦の面２１ａのみとすることで、横架材６の簡略化を図ることができる。
【００５６】
（効果 ３） 建物１の横架材６は、内側当接面２３が横行部２１の端部を縦材５の内側面５ａに当接するように屈曲して形成しても良い。これにより、内側当接面２３と横行部２１とを一枚の金属板などを用いて一体に形成することができると共に、内側当接面２３と横行部２１とを最も簡単な構成のものにすることができる。
【００５７】
（効果 ４） 建物１の横架材６は、内側当接面２３を、縦材５の内側面５ａの幅寸法Ｗ１と同じかそれよりも小さい幅寸法Ｗ２にしても良い。これにより、横行部２１を縦材５の外側面と面一に揃えて取付けることが可能または容易になる。
【００５８】
（効果 ５） 建物１の横架材６は、突出部２４が、内側当接面２３の上側と下側の両方に設けられても良い。これにより、内側当接面２３の上下の位置で上下の突出部２４を用いて縦材５の内側面５ａに容易に固定することができる。よって、横架材６は、取付けの容易性と安定した取付状態とを得ることができる。
【００５９】
（効果 ６） 建物１の横架材６は、突出部２４が、内側当接面２３の上側と下側の一方に設けられても良い。このように、突出部２４が、内側当接面２３の上側と下側の一方に設けられることで、突出部２４を縦材５の内側面５ａに対して容易に固定することができる。なお、突出部２４が設けられていない側については、突出部２４の固定後に突出部２４が設けられていない側の固定を行うことで、固定が比較的容易になるものと期待できる。
【００６０】
また、上記により、横架材６を上下反転して使うことができるようになり、例えば、横架材６を床部や天井部の近くに設置することが可能になる。即ち、横架材６を床部の近くに取付ける場合には、突出部２４を上側へ向けた状態で縦材５間に横架材６を設置する。これにより、突出部２４が、床部と干渉しなくなるので、横架材６を床部にギリギリ近付けて取付けることが可能になる。また、横架材６を天井部の近くに取付ける場合には、突出部２４を下側へ向けた状態で縦材５間に横架材６を設置する。これにより、突出部２４が、天井部と干渉しなくなるので、横架材６を天井部にギリギリ近付けて取付けることが可能になる。
【００６１】
（効果 ７） 建物１の横架材６は、孔部２５を複数設けても良い。これにより、複数の孔部２５から最適なものを選んで使用することができるので現場作業が容易になると共に、縦材５の内側面５ａに設けられている既設の取付孔を避けて取付けることができる。そして、既設の取付孔を避けることで、縦材５の内側面５ａに対して横架材６を強固に取付けることなどができる。
【００６２】
（効果 ８） 建物１の横架材６は、横行部２１が住宅用設備機器４１を取付ける位置に設置されるようにしても良い。これにより、住宅用設備機器４１を取付ける位置に対して横行部２１による裏当材を設置できるようになる。
そして、建物１の建設後に上記横架材６を後付けすること、および、建設後に上記横架材６を後付けした建物１は、上記した各効果と同様の作用効果を得ることができる。
【符号の説明】
【００６３】
１      建物
５      縦材
５ａ    内側面
６      横架材
２１    横行部
２１ａ  縦の面
２２    固定部
２３    内側当接面
２４    突出部
２５    孔部
４１    住宅用設備機器
Ｗ１    幅寸法
Ｗ２    幅寸法
【図１】
2020172795.tif 000003
【図２】
2020172795.tif 000004
【図３】
2020172795.tif 000005
【図４】
2020172795.tif 000006
【図５】
2020172795.tif 000007
【図６】
2020172795.tif 000008
【図７】
2020172795.tif 000009
【図８】
2020172795.tif 000010